(57)【特許請求の範囲】
【請求項１】
箱本体（１０）を備え、前記箱本体（１０）の上面に位置する少なくとも１個の箱開口（１１）と、前記箱開口（１１）の少なくとも一部分を覆うように前記箱開口（１１）の下に設けられた分配挿入体（１４）とを備え、前記分配挿入体（１４）が、前記箱開口（１１）の境界（１２）に接触する少なくとも２個の部分（１６）を有する切りぬき部分（１５）あるいは分配長孔（１５）を備えたティシュ・ぺーパーを収容する箱（１）であって、前記ティシュ・ぺーパーを収容する箱（１）が、前記分配挿入体（１４）が高弾性を有する熱可塑性材料で作られて、前記分配挿入体（１４）が曲げられた後に弾性特性を失わずに当初の形に自身でもどることができるティシュ・ぺーパーを収容する箱（１）。
【請求項２】
前記分配挿入体（１４）が、ポリエチレン・フィルムから作られている、請求項１記載の箱（１）。
【請求項３】
前記箱本体（１０）が、全体が紙材料で作られている、請求項１から２のいずれか１項に記載の箱（１）。
【請求項４】
前記箱本体（１０）が、全体が平坦な板紙で作られている、請求項３記載の箱（１）。
【請求項５】
前記分配挿入体（１４）の切りぬき部分（１５）または分配長孔（１５）が、前記箱開口（１１）の境界（１２）の点（１６）から他の点（１６）に延びて弾性分配舌（１８）を画成する、請求項１から４のいずれか１項に記載の箱（１）。
【請求項６】
第１のティシュ・ぺーパーの前方縁が、斜線に沿って折られて、前記第１ティシュ・ぺーパーの箱からの取り出しを容易にする、請求項１から５のいずれか１項に記載の箱。
【発明の詳細な説明】
【０００１】
発明の分野
本発明は、分配挿入体を備えた、テイシュ・ぺーパーを収容する箱に関する。
【０００２】
発明の背景
本発明はテイシュ・ぺーパー箱に適用されるもので、この様な容器は、たとえば、箱本体の一面に位置する開口を通してテイシュ・ぺーパーが１枚ずつ摘み出されるように構成された箱本体と、その箱開口を覆う分配挿入体とを典型的には有する。分配挿入体は飛び出すテイシュ・ぺーパーを保持する分配用切り裂き、または切りぬき部分を更に有する。この様な飛び出し型テイシュ・ぺーパーは互いに折り込まれて積み重ねられ、１枚のテイシュ・ぺーパーが箱から取り出されると、次のテイシュ・ぺーパーの一部分が引き出されてほぼ直立位置に分配挿入体により保持されて、使用者が次の使用中にそのテイシュ・ぺーパーを掴んで引き出しやすくするように分配挿入体はテイシュ・ぺーパーを１枚ずつ分配するようにしなければならない。このためには、分配挿入体に使用される形と材料間の適正な釣合いが必要である。
【０００３】
テイシュ・ぺーパーを箱から取り出す際に、例えば、連なり、落ち戻りといった、いくつかの問題が典型的に起きる。これは典型的には、テイシュ・ぺーパーの分配挿入体への摩擦あるいはテイシュ・ぺーパー間の摩擦と、分配挿入体開口の不適正な形とによるか、あるいは両者のいずれかによる。連なりは、１枚のテイシュ・ぺーパーを箱から取り出そうとする際に数枚のテイシュ・ぺーパーが一緒に引き出される事実を定義する。テイシュ・ぺーパーの連なりは一時に２組以上のテイシュ・ぺーパーが分配されることとなり、これは、明らかに飛び出し型テイシュ・ぺーパーの目的でなく、消費者にとって明らかに望ましくない。テイシュ・ぺーパーの落ち戻りは、１組の飛び出し型テイシュ・ぺーパーを箱から取り出すと次のテイシュ・ぺーパーが箱の中に完全に残っている事実を定義し、これは明らかに、飛び出し型方式の目的では無い。
【０００４】
次の文献は分配挿入体を備えたテイシュ・ぺーパー箱に関する。米国特許第５，３１６，１７７号明細書、キンバリー-クラーク社（ＫＣ）、１９９４年５月３１日発行は、紙製分配窓を備えた飛び出し型顔用テイシュ・ぺーパー分配板紙箱を開示している。分配窓には、この分配窓の両端から始まる２個あるいは３個以上の切り裂きを有する細長い開口が設けられて、分配されたテイシュ・ぺーパーを保持する装置が設けられている。VPSによるドイツ国実用新案G９１０８０３６号公報、１９９１年８月２２日発行はテイシュ・ぺーパー用板紙箱であり、その面の一つに開口を有するテイシュ・ぺーパー用板紙箱を開示している。紙製分配挿入体がその箱開口を少なくとも部分的に覆い、やはり開口を備えている。分配挿入体の開口は、少なくとも２点において箱開口の境界線に達するようになされている。
【０００５】
前述の文献に記載されたテイシュ・ぺーパー分配箱は多くの欠点を有している。第１に、使われる紙が低摩擦材料で被覆されていながら紙はなお騒音を出す。更に、被覆された紙から作られたこのような分配挿入体は、特に数組のテイシュ・ぺーパーが箱から取り出された後に実質的なパ‐センテージのテイシュ・ぺーパーの落ち戻りとなる。これは一般に分配挿入体が変形したり、曲がったりあるいは裂けたりするために起きる。第２に、紙材料に結び付けてつかわれる形も実質的なパ‐センテージのテイシュ・ぺーパーの落ち戻りと連なりとなる。
【０００６】
従って、本発明の一つの主な目的は、テイシュ・ぺーパー、特に化粧用テイシュ・ぺーパーを収容し、分配するための、テイシュ・ぺーパーの落ち戻りと連なりを回避する分配挿入体を備えた箱を使用者に提供することである。
【０００７】
発明の要旨
本発明は、テイシュ・ぺーパーを収容する箱であって、箱の少なくとも一面に位置する少なくとも１個の開口を備え、開口の下に分配挿入体が箱の前記開口の少なくとも一部分を覆うように位置され、前記分配挿入体は、箱開口の境界に少なくとも２個の部分が接触した切抜き部分あるいは分配長孔を備え、前記箱は、分配挿入体が高弾力性の材料で作られて、分配挿入体が長い時間に亘って曲げられた後にもその弾性特性を失わずに自身でその当初の形に戻ることができることを特徴とする。
【０００８】
発明の詳細な説明
図１に示されているように、箱１が提供され、箱１はどのような適切な形も有することができるが、好ましくは、直方体である。箱１は、互いに対面している底壁と上壁と、互いに対面している前壁と後壁と、互いに対面している左壁と右壁とを有する箱本体１０を備えている。箱は、例えば、プラスチックあるいは平らな板紙といったどのような適切な材料でも作られることができる。包装材料が単独であるいは組み合わせて使われることができる。箱全体は板紙材料で作られるのが好ましい。箱は、好ましくはテイシュ・ぺーパーを収容し、更に好ましくは、複数プライ・テイシュ・ぺーパーを収容する。テイシュ・ぺーパーは湿らされていても乾燥されていてもよいが、好ましくは乾燥テイシュ・ぺーパーである。
【０００９】
箱体１０の面の少なくとも一面、好ましくは少なくとも上面は箱開口１１を有する。任意であるが好ましくは、箱開口は入子板を取除くことにより形成され、入子板は箱の壁に前もって切り刻まれた線１３により創られる。始めて使う際に、この入子板は取除かれて、箱開口１１が箱本体１０に創りだされる。箱開口１１は、始めての使用後に取除き可能の入子板が取除かれてしまうと、前もって切り刻まれた線１３に対応する境界１２を有する。箱開口１１は適切などのような形も有することができるが、好ましくは楕円形である。本発明の好ましい実施例において、取り除き可能の入子板は、使用者が始めて使う前に、指を入れて入子板を前もって切り刻まれた線１３に沿って箱の残りの部分から裂くことにより容易に入子板を取り除くことができるようにする装置、例えばくさび型切込みを有する。更に、第１図に示すように、本発明の好ましい実施例において、本実施例においては箱１は直方体の形を有し、箱開口１１は楕円の形を有するが、箱開口１１の長手方向軸は好ましくは箱の長手方向軸と平行である。しかし、箱開口１１の長手方向軸は別の態様、例えば、箱の長手方向軸に対して斜め、あるいは直角に配置されることができる。
【００１０】
箱開口の一部を覆う分配挿入体１４は箱開口１１の下に取り付けられる。分配挿入体１４は好ましくは平面内に位置されるが、例えば、分配挿入体１４が取りつけられる面が平面でなく湾曲している場合は、少なくとも一方向に湾曲するように位置されることもできる。分配挿入体１４は、長時間に亘って曲げられていた後でもその弾性特性を失わずに曲げられたままでなくその当初の位置へもどるように高弾性を有する材料から作られる。分配挿入体の材料も、数回の使用の後にも分配挿入体が裂けないように選択されなければならない。このことにより、分配挿入体１４が長時間に亘って同じ分配特性を維持してテイシュ・ぺーパーの落ち戻りと連なりを防止するのを確実にする。使われる材料は、例えば、ポリエチレンあるいはポリプロピレン、好ましくはポリエチレンのような熱可塑性材料のフィルムであることが好ましい。このことは、使用の心地よさのための優れた弾性と、優れた復原特性を有する、従って、激しい使用にも長時間に亘って分配特性の安定を確実にする、騒音を出さない材料として試験された。
【００１１】
分配挿入体１４は切られた少なくとも１部分を有して、分配挿入体１４が箱開口１１に固定されるとテイシュ・ぺーパーは前記切られた部分を通して取り出されることができる。切られた部分は、図１あるいは図２に示されているように、単一の分配長孔か、より大きい切りぬき部分１５である。長孔または、より大きい切りぬき部分１５は例えばパンチによるか、レーザ切断を使って製造される。長孔または、より大きい切りぬき部分は、好ましくは分配挿入体１４に関して対称でありこれを中心に配置され、箱開口１１の長手方向軸にたいして平行である。
【００１２】
本発明の一実施例において、分配長孔か、より大きい切りぬき部分の少なくとも２点が箱開口１１の境界１２に接触する。好ましくは、図１に示すように、分配挿入体１４は箱開口１１の境界１２に接触する４点を有する切りぬき部分１５を有して、４個の舌が創られる。図１に示されている本発明の実施例において、舌は長さが異なるが、２個の長い舌が互いに向き合い、２個の小さい舌が互いに向き合うように対称に設けられている。この特別な形はテイシュ・ぺーパーの分配中の落ち戻りと連なりを回避するのに高い有効性を証明している。
【００１３】
しかし、他の形は図２に示された実施例のように使われることができる。分配挿入体１４の切りぬき部分１５は、１点から他の１点に亘って箱開口１１の境界１２に接触する複数個の点、好ましくは７点以上を有する。この様な形状は、１個の接触点から他の１点への長さを減らした、従って高弾性を有する分配舌を創る。
【００１４】
分配挿入体１４の長孔か、あるいはより大きい切りぬき部分１５は、箱の内に収容されたテイシュ・ぺーパーの束からテイシュ・ぺーパーを１組ずつ取り出すことができるように設計される。本発明の最も好ましい実施例では、テイシュ・ぺーパーは互い違いに折られていわゆる飛び出し型分配を提供する。このような方式は当業者に公知であり、物品、通常はテイシュ・ぺーパーを容器から１組ずつ、最初のテイシュ・ぺーパーが箱から取り出されると、次のテイシュ・ぺーパーの一部分が箱から引き出されるように取り出すことができるようにする。このような方式の目的は、１組のテイシュ・ぺーパーを取り出した後に、次のテイシュ・ぺーパーは直立の位置に立ち、使用者による利用を容易にする。更に、本発明の好ましい実施例において、取り出される最初のテイシュ・ぺーパーの前方縁は分配挿入体１４の分配長孔か、より大きい切りぬき部分１５の長手方向軸に対する斜線に沿って折られ、前記前方縁は、使用者が箱からテイシュ・ぺーパーを取り出している際に掴むテイシュ・ぺーパーの縁とされる。このようにして消費者は箱から最初のテイシュ・ぺーパーを更に便利な態様で摘み出すことができる。
【００１５】
分配挿入体１４開口の形と、高弾性と復原力を有する材料との組み合わせは、長期に亘る激しい使用に亘って、テイシュ・ぺーパーの前方縁を直立位置に保つことにおいても、テイシュ・ぺーパーの落ち戻りと連なりを回避することにおいても驚異的に有効であると証明した。
【図面の簡単な説明】
【図１】  箱開口の境界に接触する少くなくとも２個の部分を有する分配挿入体を示す箱の斜視図である。
【図２】  分配挿入体開口が箱開口の境界の点から点へ延びて弾性の分配舌を画成する、本発明の１実施例を示す上面図である。
【図１】
0004229592.tif 000002
【図２】
0004229592.tif 000003